(57)【要約】【課題】設置スペースの有効活用を図りつつ、他の機器と共に使用する場合であっても不測の事態を防止することを可能とする出力装置等を提供する。【解決手段】出力装置は、デジタルカメラ等の機器が固定装置１０１上に置かれると、固定装置により機器を固定する。出力装置１００は、機器の固定が完了した後、端子扉１０２を開き、機器からの接続線が出力装置側の端子に接続されると、機器から画像データを読み込み画像一覧を表示する。出力装置１００は、利用者の指示に基づいて印刷を行い、印刷処理を終了する場合、機器からの接続線が出力装置側の端子から取り外されると、端子扉１０２を閉鎖し固定装置１０１による機器の固定を解除する。【選択図】  図１
2004249590.tif 000002
【特許請求の範囲】
【請求項１】
印刷データを入力する入力手段と、
前記印刷データに基づいて印刷出力する出力手段と、
前記印刷データを提供する機器を固定する固定手段と、
を具備することを特徴とする出力装置。
【請求項２】
前記入力手段は、前記機器から接続線を介して前記印刷データを入力することを特徴とする請求項１に記載の出力装置。
【請求項３】
前記固定手段が前記機器を固定しているか否かに応じて、前記接続線の接続端子の扉を開閉する開閉手段を具備することを特徴とする請求項２に記載の出力装置。
【請求項４】
利用者への情報を表示する表示手段を具備することを特徴とする請求項１から請求項３までのいずれかに記載の出力装置。
【請求項５】
前記表示手段は、入力処理あるいは出力処理を行わない場合、時計表示を行うことを特徴とする請求項４に記載の出力装置。
【請求項６】
鉛直方向に印刷媒体を搬送する搬送手段を具備することを特徴とする請求項１から請求項５までのいずれかに記載の出力装置。
【請求項７】
壁掛け部材を具備することを特徴とする請求項１から請求項６までのいずれかに記載の出力装置。
【請求項８】
記録媒体の挿入口を備え、前記入力手段は、前記挿入口に装着された記録媒体から前記印刷データを取得することを特徴とする請求項１から請求項７までのいずれかに記載の出力装置。
【請求項９】
無線により提供される印刷データを受信する無線通信手段を具備することを特徴とする請求項１から請求項８までのいずれかに記載の出力装置。
【請求項１０】
前記印刷データは、画像データを含むことを特徴とする請求項１から請求項９までのいずれかに記載の出力装置。
【請求項１１】
コンピュータを請求項１から請求項１０までのいずれかに記載の出力装置として機能させるプログラム。
【請求項１２】
コンピュータを請求項１から請求項１０までのいずれかに記載の出力装置として機能させるプログラムを記録した記録媒体。
【請求項１３】
機器から接続線を介して印刷データを入力する入力手段と、当該印刷データに基づいて印刷出力する出力手段と、を具備する出力装置が実行する出力方法であって、
前記印刷データを提供する機器を固定する固定工程と、
前記機器を固定しているか否かに応じて、前記接続線の接続端子の扉を開閉する開閉工程と、
を具備することを特徴とする出力方法。
【発明の詳細な説明】
【０００１】
【発明の属する技術分野】
本発明は、デジタルカメラで撮影した画像データ、記録媒体に記録されている画像データ、印刷データ等をプリントする出力装置等に関する。
【０００２】
【従来の技術】
従来、デジタルカメラにより撮影した画像データを印刷する場合、パーソナルコンピュータを用いてプリンタから印刷したり、また、パーソナルコンピュータを用いずとも、デジタルカメラにおいてスマートメディア等の記録媒体に画像データを記録し、この記録媒体を直接プリンタのスロットに挿入して印刷したり、ＵＳＢ（Ｕｎｉｖｅｒｓａｌ  Ｓｅｒｉａｌ  Ｂｕｓ）ケーブル、無線により、デジタルカメラから直接プリンタに画像データを転送して印刷する（例えば、［非特許文献１］参照。）。
【０００３】
また、限られたスペースを有効に活用するために、壁に掛けて使用することができるプリンタが提案されている（例えば、［特許文献１］、［特許文献２］、［特許文献３］参照。）。
【０００４】
【特許文献１】
特開２００３−１９０２号公報
【特許文献２】
特開２００２−６０１１７号公報
【特許文献３】
特開平７−６１０８９号公報
【非特許文献１】
エプソン販売株式会社、”エプソンＣｏｌｏｒｉｏプリンタＰＭ−８６０ＰＴ”、［ｏｎｌｉｎｅ］、［２００３年１月３０日検索］、インターネット＜ＵＲＬ：ｈｔｔｐ：／／ｗｗｗ．ｉ−ｌｏｖｅ−ｅｐｓｏｎ．ｃｏ．ｊｐ／ｐｒｏｄｕｃｔｓ／ｐｒｉｎｔｅｒ／ｉｎｋｊｅｔ／ｐｍ８６０ｐｔ／ｐｍ８６０ｐｔ１．ｈｔｍ＞
【０００５】
【発明が解決しようとする課題】
しかしながら、従来の［非特許文献１］の技術では、パーソナルコンピュータを用いずに、デジタルカメラにより撮影した画像データを印刷することができるが、ＵＳＢケーブルによりデジタルカメラから直接プリンタに画像データを転送して印刷する場合、デジタルカメラ及びプリンタを並べて床や机上に置くことになるので、設置スペースの有効活用が図れないという問題点がある。
【０００６】
また、ケーブル等に手足等を引っ掛けてしまった場合、デジタルカメラ、プリンタ、ケーブル、接続端子等が破損したり、人体的に負傷等するといった重大な事態が生じかねないという問題点がある。
【０００７】
図９は、従来のプリンタにおける、デジタルカメラとの接続の状況を示す図である（［非特許文献１］に記載されている。）。
図９に示すように、デジタルカメラ９０１とプリンタ９０２とをＵＳＢケーブル９０３により接続して画像データの印刷を行う場合、これらの装置を床９０４上に並べて置くことになり、その分設置スペースが必要となり、ＵＳＢケーブル等に手足等を引っ掛けた場合、装置等の破損、負傷等の虞がある。
【０００８】
また、仮に、設置スペースを節約すべく、デジタルカメラをプリンタの筐体上に置いたりしても、デジタルカメラは、極めて不安定な状態であり、プリンタの形状やプリンタ動作時の振動等により、容易に落下し破損してしまうという問題点がある。
【０００９】
また、従来の［特許文献１］、［特許文献２］、［特許文献３］に示す技術は、プリンタを壁掛け式にすることにより設置スペースの有効活用を図るものである。［特許文献１］、［特許文献２］、［特許文献３］には、ＵＳＢケーブルにより、デジタルカメラから直接プリンタに画像データを転送して印刷することについての記載はないが、仮に、従来の壁掛けプリンタとデジタルカメラとをＵＳＢケーブルにより接続する場合、利用者は、印刷中ずっとデジタルカメラを手に持って立っているか、あるいは、ＵＳＢケーブルを延長してデジタルカメラを床、机上等に置く必要がある。前者の場合は、労力的負担が生じ、後者の場合は、先に述べたように、その分設置スペースが必要となり、ＵＳＢケーブル等に手足等を引っ掛けた場合、装置等の破損、データの滅失、負傷等の不測の事態が生じる虞があるという問題点がある。
【００１０】
本発明は、以上の問題点に鑑みてなされたものであり、設置スペースの有効活用を図りつつ、他の機器と共に使用する場合であっても不測の事態を防止することを可能とする出力装置等を提供することを目的とする。
【００１１】
【課題を解決するための手段】
前述した目的を達成するために第１の発明は、印刷データを入力する入力手段と、前記印刷データに基づいて印刷出力する出力手段と、前記印刷データを提供する機器を固定する固定手段と、を具備することを特徴とする出力装置である。
【００１２】
また、前記入力手段は、前記機器から接続線を介して前記印刷データを入力し、前記固定手段が前記機器を固定しているか否かに応じて、前記接続線の接続端子の扉を開閉する開閉手段を具備するようにしてもよい。
【００１３】
また、利用者への情報（操作案内、動作状況等）を表示する表示手段を具備するようにしてもよい。表示手段は、例えば、タッチパネル付き液晶画面等である。
また、前記表示手段は、入力処理あるいは出力処理を行わない場合（プリンタ使用時以外等）、時計表示、日付表示、時刻表示等を行うようにしてもよい。
尚、表示は、デジタル形式、アナログ形式等を問わない。
【００１４】
また、鉛直方向に印刷媒体を搬送する搬送手段を具備するようにしてもよい。
また、壁掛け部材を具備するようにしてもよい。
【００１５】
また、記録媒体の挿入口を備え、前記入力手段は、前記挿入口に装着された記録媒体から前記印刷データを取得するようにしてもよい。
また、無線により提供される印刷データを受信する無線通信手段を具備するようにしてもよい。
また、前記印刷データは、画像データ等を含む。
【００１６】
第１の発明の出力装置は、デジタルカメラ等の機器から印刷データが入力されると、当該印刷データに基づいて印刷出力を行う。出力装置は、機器が設置されると当該機器を固定し、機器固定後、出力装置側の接続端子に設けられる端子扉を開き機器からの接続線の接続を許可する。出力装置は、印刷終了後、機器からの接続線が出力装置側の接続端子から取り外されると端子扉を閉じ、機器の固定を解除する。
【００１７】
機器は、印刷データ等を提供する機器であり、例えば、画像データを提供するデジタルカメラである。
接続線は、機器側の接続端子と出力装置側の接続端子とに接続され、機器〜出力装置間のデータ授受を媒介する。接続線は、例えば、ＵＳＢケーブルである。
【００１８】
第１の発明では、出力装置は、固定装置により機器を固定し、機器が固定されている間に限り、端子扉を開けて機器からの接続線の接続を許可し、印刷終了後は、機器からの接続線が取り外されてから機器の固定を解除するので、機器の落下、転倒等を防止することができ、接続線に手足等を引っ掛ける心配もない。
【００１９】
また、出力装置は、搬送経路を鉛直方向に設けるので、設置スペースを有効活用することができる。また、出力装置は、壁掛け部材を備えるので壁掛け可能であり、さらなる設置スペースの節約を図ることができる。
【００２０】
第２の発明は、コンピュータを第１の発明の出力装置として機能させるプログラムである。
第３の発明は、コンピュータを第１の発明の出力装置として機能させるプログラムを記録した記録媒体である。
上述のプログラムをＣＤ−ＲＯＭ等の記録媒体に保持させて流通させてもよいし、このプログラムを通信回線を介して送受することもできる。
【００２１】
第４の発明は、機器から接続線を介して印刷データを入力する入力手段と、当該印刷データに基づいて印刷出力する出力手段と、を具備する出力装置が実行する出力方法であって、前記印刷データを提供する機器を固定する固定工程と、前記機器を固定しているか否かに応じて、前記接続線の接続端子の扉を開閉する開閉工程と、を具備することを特徴とする出力方法である。
【００２２】
第４の発明は、第１の発明の出力装置が実行する出力方法についての発明である。
【００２３】
【発明の実施の形態】
以下、添付図面を参照しながら、本発明に係る出力装置等の好適な実施形態について詳細に説明する。なお、以下の説明及び添付図面において、略同一の機能構成を有する構成要素については、同一の符号を付することにより重複説明を省略することにする。
【００２４】
最初に、図１及び図２を参照しながら、本発明の実施の形態に係る出力装置１００の構成について説明する。
図１は、出力装置１００の外観斜視図（端子扉閉鎖時）である。
図２は、出力装置１００の外観斜視図（端子扉開放時）である。
【００２５】
出力装置１００の上面には、固定装置１０１、端子扉１０２、壁掛け部材１１０等が設けられる。
出力装置１００の前面には、表示装置１０７、取出口１０８等が設けられる。出力装置１００の側面には、カセット１０４の挿入口であるカセット挿入口１０３、記録媒体１０６の挿入口、スロットである記録媒体挿入口１０５等が設けられる。
【００２６】
固定装置１０１は、機器１０９を固定する。固定装置に関しては、図４について後述する。
機器１０９は、印刷データ（画像データ等）を提供する機器であり、例えば、デジタルカメラである。
端子扉１０２は、機器１０９からの接続線２０２を接続するための端子２０３に設けられる開閉扉である。端子扉１０２は、機器１０９が固定されているか否か等に応じて開閉制御される。端子扉１０２の閉鎖中は、端子２０３が使用不能となり、端子扉１０２の開放中は、端子２０３が使用可能となる。
【００２７】
カセット１０４は、インクシート、印刷媒体等が一体として構成されるユニット、カートリッジ、カセット等であり、カセット挿入口１０３から出力装置１００に着脱可能である。
【００２８】
記録媒体１０６は、印刷データ、画像データ等を記録する媒体であり、例えば、スマートメディア、コンパクトフラッシュ（登録商標）カード（ＣＦカード）、フロッピー（登録商標）ディスク、ＰＣカード、ＣＤ−ＲＯＭ等である。出力装置１００は、記録媒体挿入口１０５に挿入される記録媒体１０６との間で、データ授受を行うことができる。
【００２９】
表示装置１０７は、タッチパネル付き液晶画面等であり、出力装置１００の動作状況、操作案内等を表示する。利用者は、この表示装置１０７を介して、出力装置１００の動作状況を把握したり、操作指示を行ったりする。
【００３０】
取出口１０８は、出力装置１００により印刷された印刷物の出口である。利用者は、タッチパネルボタンに触れるなどしてプリント実行を指示した後、取出口１０８から放出されるプリント物を取り出す。
【００３１】
接続線２０２は、端子２０１（機器側の接続端子）と端子２０３（出力装置側の接続端子）とに接続され、機器１０９〜出力装置１００間のデータ授受を媒介する。接続線２０２は、例えば、ＵＳＢケーブルである。
【００３２】
次に、図３を参照しながら、出力装置１００のハードウェア構成について説明する。
図３は、出力装置１００のハードウェア構成図である。
【００３３】
出力装置１００は、制御装置３０１、固定装置３０２（固定装置１０１）、表示装置３０３（タッチパネル付き）（表示装置１０７）、搬送装置３０４、転写装置３０５等が、バス３０６を介して接続される。
【００３４】
制御装置３０１は、ＣＰＵ、ＲＯＭ、ＲＡＭ、ハードディスク等で構成され、ＲＯＭ、ＲＡＭ、ハードディスク等に格納あるいは導入されたプログラムに従って、バス３０６を介して接続される各装置を駆動制御する。
各プログラムコードは、制御装置３０１により必要に応じて読み出されてＲＡＭに移され、ＣＰＵに読み出されて各種の手段として実行される。
【００３５】
固定装置３０２は、印刷データを提供するデジタルカメラ等の機器を固定する装置である。固定装置に関しては、図４について後述する。
【００３６】
表示装置３０３は、液晶パネル等の表示装置であり、タッチパネルを有するようにしてもよい。
利用者は、表示装置３０３に表示された操作案内に従って、同表示装置３０３に表示されるタッチパネルボタンを選択し触れることにより、出力装置の一連の操作を行う。
【００３７】
搬送装置３０４は、インクシートの供給及び回収、印刷媒体の供給、印刷物等の搬送を行う。
インクシートの供給及び回収、印刷媒体の供給を行うローラについては、出力装置に着脱可能なカセット、カートリッジ等により提供するようにしてもよい。尚、搬送装置３０４については、後述する。
【００３８】
転写装置３０５は、インクシートの色材を印刷媒体に転写する。転写装置３０５は、サーマルヘッド、プラテンローラ等を有する。尚、転写装置３０５については、後述する。
【００３９】
次に、図４を参照しながら、固定装置１０１について説明する。
図４は、固定装置１０１の構成を示す図である。
【００４０】
固定装置１０１は、支持板４０１、弾性体４０２、側面センサ４０３、底面センサ４０４、移動装置４０５等により構成される。
【００４１】
支持板４０１は、機器１０９を固定するために、例えば、出力装置前面側及び出力装置背面側に設けられ、機器１０９を両面から押圧することにより固定する。支持板４０１は、機器１０９との接触面に弾性体４０２、側面センサ４０３を備える。
【００４２】
弾性体４０２は、スポンジ、ゴム等の弾性体であり、機器１０９を固定する際、支持板４０１から機器１０９への圧力緩衝、機器１０９の損傷防止等の役割を果たす。
【００４３】
移動装置４０５は、支持板４０１を出力装置前面〜出力装置背面方向に移動させる装置であり、例えば、各種直線駆動装置である。
【００４４】
また、固定装置１０１は、支持板４０１により機器１０９を固定する際、圧力センサ等の側面センサ４０３により押圧の度合いを調整し、圧力センサ等の底面センサ４０４により機器１０９の設置有無を判断する。
【００４５】
次に、図５を参照しながら、出力装置１００における、搬送動作（搬送装置３０４）、転写動作（転写装置３０５）について説明する。
図５は、出力装置１００における、搬送動作（搬送装置３０４）、転写動作（転写装置３０５）の概略を示す図である。
【００４６】
出力装置１００（搬送装置３０４）は、インクシート５０１、インクシート供給ロール５０２、印刷媒体５０３、印刷媒体供給ロール５０４、インクシート回収ロール５０５等を有し、インクシート、印刷媒体、印刷物の搬送を行う。
【００４７】
図５に示す出力装置１００において、搬送経路は、鉛直方向となっており、上側から下側にインクシート、印刷媒体、印刷物等の搬送が行われる。
尚、出力装置１００に着脱可能なカセット１０４等により、インクシート５０１、インクシート供給ロール５０２、印刷媒体５０３、印刷媒体供給ロール５０４、インクシート回収ロール５０５等を設けるようにしてもよい。
【００４８】
出力装置１００（搬送装置３０４）は、インクシート供給ロール５０２により、インクシート５０１をサーマルヘッド５１０、プラテンローラ５１１に供給し、インクシート回収ロール５０５により、転写処理後のインクシート５０１を回収する。
【００４９】
出力装置１００（転写装置３０５）は、サーマルヘッド５１０、プラテンローラ５１１等を有し、印刷データに基づいてインクシートの色材等を印刷媒体に転写する。
【００５０】
出力装置１００（転写装置３０５）は、サーマルヘッド５１０、プラテンローラ５１１により、印刷媒体５０３に重ねられたインクシート５０１に、所定の印刷データ、画像データ等に基づいて加熱、加圧を行い、印刷媒体５０３上にインクシート５０１の色材等を転写する。
【００５１】
出力装置１００は、転写処理後の印刷媒体５０３をカッタ５１２により切り取り、印刷物５２０として取出口１０８に搬送する。
【００５２】
次に、図６及び図７を参照しながら、機器の固定における、出力装置１００の動作について説明する。
図６は、機器の固定における、出力装置１００の動作を示すフローチャートである。
図７は、機器の固定における、出力装置１００が表示装置１０７に表示する画面の一態様を示す図である。
【００５３】
以下、印刷データとして画像データを取り上げて、機器の固定における、出力装置１００の動作について説明する。
【００５４】
出力装置１００は、デジタルカメラ等の機器が固定装置１０１上に置かれているかどうかを判定し（ステップ６０１）、機器が置かれていないと判定した場合（ステップ６０１のＮＯ）、出力装置１００は、表示装置１０７に日時を表示する（ステップ６０２、図７：Ｓ７０１）。
尚、機器の設置有無の判定は、固定装置１０１上の底面センサ等により行うことができる。
【００５５】
機器が置かれていると判定した場合（ステップ６０１のＹＥＳ）、出力装置１００は、固定装置１０１により機器を固定する（ステップ６０３、図７：Ｓ７０２）。
出力装置１００は、機器の固定が完了した後、端子扉１０２を開き（ステップ６０４）、利用者に対して機器からの接続線（ＵＳＢケーブル等）を出力装置側の端子に接続するよう促す（図７：Ｓ７０３）。
【００５６】
出力装置１００は、機器からの接続線が出力装置側の端子に接続されているかどうかを判定し（ステップ６０５）、接続されていると判定した場合（ステップ６０５のＹＥＳ）、機器から画像データを読み込み（ステップ６０６）、画像一覧を表示する（ステップ６０７、図７：Ｓ７０４）。
【００５７】
利用者は、表示装置（タッチパネル）等を介して、画像の選択、印刷枚数の設定等を行い、出力装置１００は、利用者の指示に基づいて印刷を行い（ステップ６０８、図７：Ｓ７０５）、利用者に対して、印刷処理の継続の意思を問う（ステップ６０９、図７：Ｓ７０６）。
【００５８】
出力装置１００は、印刷処理を継続する場合（ステップ６０９のＹＥＳ）、ステップ６０７〜ステップ６０９の処理を繰り返す。
出力装置１００は、印刷処理を終了する場合（ステップ６０９のＮＯ）、利用者に対して、接続線を出力装置側の端子から取り外すよう促す（図７：Ｓ７０７）。
【００５９】
出力装置１００は、機器からの接続線が出力装置側の端子から取り外されているかどうかを判定し（ステップ６１０）、取り外されていると判定した場合（ステップ６１０のＹＥＳ）、端子扉１０２を閉鎖し（ステップ６１１）、固定装置１０１による機器の固定を解除し（ステップ６１２）、利用者に対して、機器を持っていくように促す（図７：Ｓ７０８）。
【００６０】
以降、出力装置１００は、ステップ６０１からステップ６１２の処理を繰り返す。
尚、端子扉１０２は、出力装置１００側で自動的に開閉制御され手動では開閉不可能なものとすることが望ましい。
【００６１】
以上の過程を経て、出力装置１００は、当該機器を固定した後、端子扉を開け、機器からの接続線が出力装置側の端子に接続されると、当該機器から印刷データを読み込んで印刷処理を行い、印刷終了後、機器からの接続線が出力装置側の端子から取り外されると、端子扉を閉鎖し、機器の固定を解除する。
【００６２】
上記のように、出力装置は、印刷処理の間、印刷データを提供する機器を固定装置により固定し、機器が固定されている間に限り端子扉を開けて機器からの接続線の接続を許可するので、機器の落下、転倒等を防止することができ、接続線に手足等を引っ掛ける心配もない。
【００６３】
また、出力装置は、機器からの接続線が取り外され、端子扉が閉鎖しているときに限り機器の固定を解除するので、機器と出力装置とを接続線により接続したまま不用意に機器を移動させて機器、出力装置、接続線、端子等を破損させる危険性をなくすことができる。
【００６４】
また、出力装置は、搬送経路を鉛直方向に設けるので、設置スペースを有効活用することができ、また、壁掛け部材を設けることにより壁掛け可能であり、さらなる設置スペースの節約が可能となる。
【００６５】
以上、添付図面を参照しながら、本発明にかかる出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６６】
尚、表示装置は、出力装置側に設けるものとして説明したが、機器が表示装置を有する場合は、当該表示装置を利用するようにしてもよい。
また、制御装置は、出力装置側に設けるものとして説明したが、機器側に出力装置の制御を行う制御装置を設けるようにしてもよい。この場合、利用者は、機器側から出力装置を操作することができる。
【００６７】
また、固定装置、端子扉、端子、壁掛け部材等は、出力装置の上面に設けるものとして説明したが、他の位置に配置するようにしてもよい。
また、出力装置は、画面表示によるガイダンスの他、音声、動画等によるガイダンスを行うようにしてもよい。
【００６８】
また、固定装置に関しては、支持板を２枚設け、機器の前面側及び背面側から押圧して固定するものとして説明したが、機器の固定の態様は、これに限られない。
【００６９】
図８は、他の実施の形態に係る固定装置８００を示す図である。
図８に示すように、固定装置８００は、支持板８０１を有し、機器８０４の設置底面８０２が傾斜をなす。固定装置８００は、設置底面８０２上において支持板８０１を前後に移動させ、機器８０４を前面から押圧して設置背面８０３に押し付けて固定する。
図８に示す固定装置８００によれば、支持板は１つなので、固定装置の機構をより簡略化することができる。
【００７０】
また、印刷媒体の供給（給紙等）は、印刷媒体供給ロールを有するカセットにより行うものとして説明したが、ロールのみならず、折り畳み式連続用紙、単票用紙等を供給するようにすることもできる。
【００７１】
また、出力装置における印刷方式として転写方式による印刷画像形成について説明したが、出力装置における印刷方式は、これに限られない。さらに、転写方式の種類も問わない。例えば、受容層及び基材層からなる中間転写媒体の受容層上に、昇華染料（昇華型熱転写方式）あるいは溶融インク（溶融型熱転写方式）等を転写して画像を形成し、次に、当該受容層を剥離して再転写することにより印画媒体上に画像を形成する方法（中間転写媒体方式）を用いるようにしてもよい。
【００７２】
また、接続線を介しての印刷データ転送に加えて、種々の記録媒体に対応する複数のスロットを出力装置に設け、記録媒体を直接プリンタのスロットに挿入して印刷できるようにしてもよいし、さらに、無線通信に係る装置を出力装置に設け、無線によりデジタルカメラから直接プリンタに画像データを転送して印刷できるようにしてもよい。
【００７３】
【発明の効果】
以上、詳細に説明したように本発明によれば、設置スペースの有効活用を図りつつ、他の機器と共に使用する場合であっても不測の事態を防止することを可能とする出力装置等を提供することができる。
【図面の簡単な説明】
【図１】出力装置１００の外観斜視図（端子扉閉鎖時）
【図２】出力装置１００の外観斜視図（端子扉開放時）
【図３】出力装置１００のハードウェア構成図
【図４】固定装置１０１の構成を示す図
【図５】出力装置１００における、搬送動作（搬送装置３０４）、転写動作（転写装置３０５）の概略を示す図
【図６】機器の固定における、出力装置１００の動作を示すフローチャート
【図７】機器の固定における、出力装置１００が表示装置１０７に表示する画面の一態様を示す図
【図８】他の実施の形態に係る固定装置８００を示す図
【図９】従来のプリンタにおける、デジタルカメラとの接続の状況を示す図
【符号の説明】
１００………出力装置
１０１………固定装置
１０２………端子扉
１０３………カセット挿入口
１０４………カセット
１０５………記録媒体挿入口
１０６………記録媒体
１０７………表示装置（タッチパネル）
１０８………取出口
１０９………機器
１１０………壁掛け部材
２０１………端子（機器側の接続端子）
２０２………接続線
２０３………端子（出力装置側の接続端子）
３０１………制御装置（ＣＰＵ、ＲＯＭ、ＲＡＭ）
３０２………固定装置
３０３………表示装置
３０４………搬送装置
３０５………転写装置
４０１………支持板
４０２………弾性体
４０３………側面センサ
４０４………底面センサ
４０５………移動装置
【図１】
2004249590.tif 000003
【図２】
2004249590.tif 000004
【図３】
2004249590.tif 000005
【図４】
2004249590.tif 000006
【図５】
2004249590.tif 000007
【図６】
2004249590.tif 000008
【図７】
2004249590.tif 000009
【図８】
2004249590.tif 000010
【図９】
2004249590.tif 000011